(57)【要約】【課題】ポンプに逆止弁が設けられている場合においても、ポンプ内の水抜きを行うことができる燃料電池システムの提供をすることを目的とする。【解決手段】燃料電池システム１は、水タンク１４に貯留された改質水を蒸発部３２に供給する改質水ポンプ４０と、改質水ポンプ４０の一次側の改質水を外部に排出する排水機構部１７と、改質水ポンプ４０の駆動量を少なくとも制御する制御装置１５と、を備えている。制御装置１５は、排水機構部１７によって改質水ポンプ４０の一次側の改質水が排出された場合、改質水ポンプ４０を所定駆動量駆動させることにより、改質水ポンプ４０の水抜きを行う水抜き制御を実行する水抜き制御部１５ｂを備えている。【選択図】  図１
2017139129.tif 000002
【特許請求の範囲】
【請求項１】
燃料と酸化剤ガスとにより発電する燃料電池と、
改質水から水蒸気を生成する蒸発部と、
改質用原料と前記水蒸気とから前記燃料を生成して前記燃料電池に供給する改質部と、
前記改質水を貯留する水タンクと、
前記水タンクに貯留された前記改質水を前記蒸発部に供給する改質水ポンプと、
前記改質水ポンプの一次側の前記改質水を外部に排出する排水機構部と、
前記改質水ポンプの駆動量を少なくとも制御する制御装置と、を備えた燃料電池システムであって、
前記改質水ポンプは、
ハウジングと、
前記ハウジングに設けられ、前記水タンクからの前記改質水が流入する入口開口と、前記ハウジング内のポンプ室とを接続する第一流路と、
前記ハウジングに設けられ、前記ポンプ室と、前記ポンプ室からの前記改質水が流出する出口開口とを接続する第二流路と、
前記第一流路に設けられ、前記水タンクから前記蒸発部へ向かう第一方向の前記改質水の流れを許容するが、前記第一方向と反対方向の前記改質水の流れを規制する第一逆止弁と、
前記第二流路に設けられ、前記第一方向の前記改質水の流れを許容するが、前記第一方向と反対方向の前記改質水の流れを規制する第二逆止弁と、を備え、
前記制御装置は、前記排水機構部によって前記改質水ポンプの一次側の前記改質水が排出された場合、前記改質水ポンプを所定駆動量駆動させることにより、前記改質水ポンプの水抜きを行う水抜き制御を実行する水抜き制御部を備えている燃料電池システム。
【請求項２】
前記水タンクは、前記水タンクの水位を検出する水位センサをさらに備え、
前記制御装置は、前記水位センサによって検出された前記水タンクの水位に基づいて、前記改質水ポンプの一次側の前記改質水が排出されたか否かを判定する排水判定部をさらに備え、
前記水抜き制御部は、前記排水判定部によって前記改質水ポンプの一次側の前記改質水が排出されたと判定された場合、前記水抜き制御を実行する請求項１記載の燃料電池システム。
【請求項３】
前記改質水ポンプは、
プランジャの往復運動に応じた前記ポンプ室の容積変化により、前記水タンクに貯留された前記改質水が前記入口開口から前記ポンプ室内に流入し、かつ、前記ポンプ室内の前記改質水が前記出口開口から流出するプランジャポンプである請求項１または請求項２記載の燃料電池システム。
【請求項４】
前記改質水ポンプは、前記プランジャの往復運動の際、前記プランジャが衝突する被衝突部に対する前記プランジャの衝突によって振動が発生し、
前記燃料電池システムは、前記振動が伝達する伝達部位に配設され、前記振動を検出する振動検出装置をさらに備え、
前記制御装置は、前記振動検出装置によって検出された前記振動の大きさに基づいて、前記水抜き制御によって前記改質水ポンプの水抜きが完了したか否かを判定する水抜き判定部を備えている請求項３記載の燃料電池システム。
【発明の詳細な説明】
【技術分野】
【０００１】
本発明は、燃料電池システムに関する。
【背景技術】
【０００２】
燃料電池システムの一形式として、特許文献１に示されているものが知られている。特許文献１の燃料電池システムは、燃料電池システムの運転に必要な水が循環する水循環経路を備えている。水循環経路は、複数のブロックに分割されるともに、複数のブロックの各々に排水弁が設けられ、複数のブロック毎に水抜き処理が可能となっている。
【先行技術文献】
【特許文献】
【０００３】
【特許文献１】国際公開第２０１０／１２５７３４号
【発明の概要】
【発明が解決しようとする課題】
【０００４】
上述した特許文献１に記載されている燃料電池システムにおいては、改質水を循環させるポンプに逆止弁が設けられている場合、そのポンプ内の水が排出されずにポンプ内に残ることが考えられる。ポンプ内の水がポンプ外に排出されない場合、ポンプ内の水の凍結により、ポンプの破損の発生が考えられる。
本発明は、上述した問題を解消するためになされたもので、ポンプに逆止弁が設けられている場合においても、ポンプ内の水抜きを行うことができる燃料電池システムの提供をすることを目的とする。
【課題を解決するための手段】
【０００５】
上記の課題を解決するため、請求項１に係る燃料電池システムは、燃料と酸化剤ガスとにより発電する燃料電池と、改質水から水蒸気を生成する蒸発部と、改質用原料と水蒸気とから燃料を生成して燃料電池に供給する改質部と、改質水を貯留する水タンクと、水タンクに貯留された改質水を蒸発部に供給する改質水ポンプと、改質水ポンプの一次側の改質水を外部に排出する排水機構部と、改質水ポンプの駆動量を少なくとも制御する制御装置と、を備えた燃料電池システムであって、改質水ポンプは、ハウジングと、ハウジングに設けられ、水タンクからの改質水が流入する入口開口と、ハウジング内のポンプ室とを接続する第一流路と、ハウジングに設けられ、ポンプ室と、ポンプ室からの改質水が流出する出口開口とを接続する第二流路と、第一流路に設けられ、水タンクから蒸発部へ向かう第一方向の改質水の流れを許容するが、第一方向と反対方向の改質水の流れを規制する第一逆止弁と、第二流路に設けられ、第一方向の改質水の流れを許容するが、第一方向と反対方向の改質水の流れを規制する第二逆止弁と、を備え、制御装置は、排水機構部によって改質水ポンプの一次側の改質水が排出された場合、改質水ポンプを所定駆動量駆動させることにより、改質水ポンプの水抜きを行う水抜き制御を実行する水抜き制御部を備えている。
【発明の効果】
【０００６】
改質水ポンプは、第一流路および第二流路に逆止弁が設けられているため、蒸発部への改質水の供給を停止した場合、改質水がポンプ室内に残る。これに対し、本発明の制御装置は、改質水ポンプの一次側の改質水が排出された場合、水抜き制御を実行する。水抜き制御は、改質水ポンプを所定駆動量駆動させることにより、改質水ポンプの水抜きを行うものである。改質水ポンプの一次側の改質水が排出された場合、改質水ポンプの一次側と大気とが連通する。そして、水抜き制御による改質水ポンプの駆動により、第一逆止弁が開かれるとともに、改質水ポンプの一次側の空気が入口開口から第一流路を介してポンプ室内に流入する。さらに、ポンプ室内の改質水が第二流路に流入して第二逆止弁を開くとともに、出口開口から流出する。これにより、改質水ポンプの水抜きが行われる。したがって、改質水ポンプに逆止弁が設けられている場合においても、改質水ポンプ内の水抜きを行うことができる。
【図面の簡単な説明】
【０００７】
【図１】本発明による燃料電池システムの第一実施形態を示す概要図である。
【図２】図１に示す改質水ポンプの軸方向断面図であり、コイルが通電されていない状態を表している。
【図３】図１に示す改質水ポンプの軸方向断面図であり、コイルが通電されている状態を表している。
【図４】図１に示す燃料電池システムのブロック図である。
【図５】図４に示す制御装置にて実行される制御プログラムのフローチャートである。
【図６】図５のフローチャートによる燃料電池システムの動作を示すタイムチャートである。
【図７】本発明の第二実施形態における燃料電池システムのブロック図である。
【図８】本発明の各実施形態の変形例における排水機構部を示す概要図である。
【発明を実施するための形態】
【０００８】
（第一実施形態）
以下、本発明による燃料電池システムの第一実施形態について説明する。なお、本明細書においては説明の便宜上、図１の左側および右側、並びに、図２および図３の上側および下側をそれぞれ燃料電池システム１の上方および下方として説明する。図１に示すように、燃料電池システム１は、発電ユニット１０および貯湯槽２１を備えている。発電ユニット１０は、筐体１０ａ、燃料電池モジュール１１（３０）、熱交換器１２、インバータ装置１３、水タンク１４、および制御装置１５を備えている。
【０００９】
燃料電池モジュール１１は、後述するように燃料電池３４を少なくとも含んで構成されるものである。燃料電池モジュール１１は、改質用原料、改質水およびカソードエアが供給されている。具体的には、燃料電池モジュール１１は、一端が供給源Ｇｓに接続されて改質用原料が供給される改質用原料供給管１１ａの他端が接続されている。改質用原料供給管１１ａは、原料ポンプ１１ａ１が設けられている。さらに、燃料電池モジュール１１は、一端が水タンク１４に接続されて改質水が供給される水供給管１１ｂの他端が接続されている。水タンク１４は、改質水を貯留するものである。水供給管１１ｂには、後述する改質水ポンプ１１ｂ１（４０）が設けられている。さらに、燃料電池モジュール１１は、一端がカソードエアブロワ１１ｃ１に接続されてカソードエアが供給されるカソードエア供給管１１ｃの他端が接続されている。
【００１０】
熱交換器１２は、燃料電池モジュール１１から排気される燃焼排ガスが供給されるとともに貯湯槽２１からの貯湯水が供給され、燃焼排ガスと貯湯水とが熱交換する熱交換器である。具体的には、貯湯槽２１は、貯湯水を貯湯するものであり、貯湯水が循環する（図にて矢印の方向に循環する）貯湯水循環ライン２２が接続されている。貯湯水循環ライン２２上には、貯湯槽２１の下端から上端に向かって順番に貯湯水循環ポンプ２２ａおよび熱交換器１２が配設されている。熱交換器１２は、燃料電池モジュール１１からの排気管１１ｄが接続（貫設）されている。熱交換器１２は、水タンク１４に接続されている凝縮水供給管１２ａが接続されている。
【００１１】
熱交換器１２において、燃料電池モジュール１１からの燃焼排ガスは、排気管１１ｄを通って熱交換器１２内に導入され、貯湯水との間で熱交換が行われ凝縮されるとともに冷却される。凝縮後の燃焼排ガスは排気管１１ｄを通り外部に排出される。また、凝縮された凝縮水は、凝縮水供給管１２ａを通って水タンク１４に供給される。なお、水タンク１４は、凝縮水をイオン交換樹脂によって純水化するようになっている。
【００１２】
上述した熱交換器１２、貯湯槽２１および貯湯水循環ライン２２から、排熱回収システム２０が構成されている。排熱回収システム２０は、燃料電池モジュール１１の排熱を貯湯水に回収して蓄える。
【００１３】
さらに、インバータ装置１３は、燃料電池３４から出力される直流電圧を入力し所定の交流電圧に変換して、交流の系統電源１６ａおよび外部電力負荷１６ｃ（例えば電化製品）に接続されている電源ライン１６ｂに出力する。また、インバータ装置１３は、系統電源１６ａからの交流電圧を電源ライン１６ｂを介して入力し、所定の直流電圧に変換して補機（各ポンプ、ブロワなど）や制御装置１５に出力する。なお、制御装置１５は、補機を駆動して燃料電池システム１の運転を制御する。
【００１４】
燃料電池モジュール１１（３０）は、ケーシング３１、蒸発部３２、改質部３３および燃料電池３４を備えている。ケーシング３１は、断熱性材料で箱状に形成されている。
蒸発部３２は、後述する燃焼ガスにより加熱されて、供給された改質水を蒸発させて水蒸気を生成するとともに、供給された改質用原料を予熱するものである。蒸発部３２は、このように生成された水蒸気と予熱された改質用原料とを混合して改質部３３に供給するものである。改質用原料としては天然ガス、ＬＰガスなどの改質用気体燃料、灯油、ガソリン、メタノールなどの改質用液体燃料があり、本実施形態においては天然ガスにて説明する。
【００１５】
蒸発部３２には、一端が供給源Ｇｓに接続された改質用原料供給管１１ａの他端が接続されている。供給源Ｇｓは、例えば都市ガスのガス供給管、ＬＰガスのガスボンベである。また、蒸発部３２には、一端が水タンク１４に接続された水供給管１１ｂの他端が接続されている。水供給管１１ｂには、改質水ポンプ１１ｂ１（４０）が設けられている。改質水ポンプ４０は、水供給管１１ｂの水タンク１４との接続部より上方に設けられている。
【００１６】
改質水ポンプ４０は、水タンク１４に貯留された改質水を蒸発部３２に供給するものである。改質水ポンプ４０は、プランジャポンプである。改質水ポンプ４０は、図２に示すように、第一ハウジング４１、第二ハウジング４２、筒状のコイル４３、プランジャ４４およびスプリング４５を備えている。第一ハウジング４１および第二ハウジング４２は、本発明のハウジングに相当する。
【００１７】
第一ハウジング４１は、本体部４１ａ、フランジ部４１ｂ、第一逆止弁４１ｃおよび第二逆止弁４１ｄを備えている。本体部４１ａは、軸線４１ａ１方向に延びる円筒状に形成されている。本体部４１ａには、入口開口４１ａ２、出口開口４１ａ３、第一流路４１ａ４および第二流路４１ａ５が設けられている。
入口開口４１ａ２は、第一ハウジング４１（本体部４１ａ）に設けられ、水タンク１４からの改質水が流入する開口部である。入口開口４１ａ２は、水供給管１１ｂを介して水タンク１４に接続されている。出口開口４１ａ３は、第一ハウジング４１（本体部４１ａ）に設けられ、本体部４１ａ内の後述するポンプ室ＰＲからの改質水が流出する開口部である。出口開口４１ａ３は、水供給管１１ｂを介して蒸発部３２に接続されている。
【００１８】
第一流路４１ａ４は、第一ハウジング４１（本体部４１ａ）に設けられ、入口開口４１ａ２とポンプ室ＰＲとを接続する流路である。第二流路４１ａ５は、第一ハウジング４１（本体部４１ａ）に設けられ、ポンプ室ＰＲと出口開口４１ａ３とを接続する流路である。
フランジ部４１ｂは、本体部４１ａの上端部にて、本体部４１ａの軸線４１ａ１の周方向に全周に亘って突出するように形成されている。
【００１９】
第一逆止弁４１ｃは、第一流路４１ａ４に設けられ、水タンク１４から蒸発部３２へ向かう第一方向の改質水の流れを許容するが、第一方向と反対方向の改質水の流れを規制する逆止弁である。第一逆止弁４１ｃは、具体的には、入口開口４１ａ２からポンプ室ＰＲへの改質水の流れを許容するが、ポンプ室ＰＲから入口開口４１ａ２への改質水の流れを規制する。
【００２０】
第一逆止弁４１ｃは、図２の上側から下側に向かって順に、改質水が流通可能な貫通穴４１ｃ１ａが形成された第一保持板４１ｃ１、第一保持板４１ｃ１に保持されている第一スプリング４１ｃ２、第一スプリング４１ｃ２に付勢された球状の第一弁体４１ｃ３および第一弁座４１ｃ４から構成されている。第一弁座４１ｃ４は、隔壁４１ａ６に形成された貫通穴４１ａ６ａの図２の上側の開口縁に形成されている。第一保持板４１ｃ１は、第一流路４１ａ４に、例えば圧入により固定されている。第一逆止弁４１ｃは、第一弁体４１ｃ３と第一弁座４１ｃ４とが当接することにより、改質水の流れを規制する「閉状態」（図２および図３に実線にて示す）、および第一弁体４１ｃ３と第一弁座４１ｃ４とが離れることにより、改質水の流れを許容する「開状態」（図３に破線にて示す）の２つの状態を有している。
【００２１】
第二逆止弁４１ｄは、第二流路４１ａ５に設けられ、水タンク１４から蒸発部３２へ向かう第一方向の改質水の流れを許容するが、第一方向と反対方向の改質水の流れを規制する逆止弁である。第二逆止弁４１ｄは、具体的には、ポンプ室ＰＲから出口開口４１ａ３への改質水の流れを許容するが、出口開口４１ａ３からポンプ室ＰＲへの改質水の流れを規制する。
【００２２】
第二逆止弁４１ｄは、図２の右側から左側に向かって順に、改質水が流通可能な貫通穴４１ｄ１ａが形成された第二保持板４１ｄ１、第二保持板４１ｄ１に保持されている第二スプリング４１ｄ２、第二スプリング４１ｄ２に付勢された球状の第二弁体４１ｄ３および第二弁座４１ｄ４から構成されている。第二弁座４１ｄ４は、板部材４１ｄ５に形成された貫通穴４１ｄ５ａの図２の右側の開口縁に形成されている。第二保持板４１ｄ１および板部材４１ｄ５は、第二流路４１ａ５に、例えば圧入により固定されている。第二逆止弁４１ｄは、第二弁体４１ｄ３と第二弁座４１ｄ４とが当接することにより、改質水の流れを規制する「閉状態」（図２および図３に実線にて示す）、および第二弁体４１ｄ３と第二弁座４１ｄ４とが離れることにより、改質水の流れを許容する「開状態」（図２に破線にて示す）の２つの状態を有している。
【００２３】
第二ハウジング４２は、シリンダ４２ａ、および、シリンダ４２ａの下端部にて、軸線４１ａ１の周方向に全周に亘って突出するように形成されたフランジ部４２ｂを備えている。第二ハウジング４２は、フランジ部４２ｂの下端面が第一ハウジング４１のフランジ部４１ｂの上端面に接触し、第一ハウジング４１の上端を覆うように配設され、第一ハウジング４１に、例えば取付ボルト（図示なし）によって固定されている。
【００２４】
シリンダ４２ａは、プランジャ４４を軸線４１ａ１方向に往復運動可能に収納するものである。シリンダ４２ａは、軸線４１ａ１と同軸に、下端を本体部４１ａ内に向けて開口する有底円筒状に形成されている。シリンダ４２ａは、プランジャ４４を収納する大径部４２ａ１および大径部４２ａ１の上方に大径部４２ａ１より径が小さい小径部４２ａ２が形成されている。大径部４２ａ１と小径部４２ａ２とによって、プランジャ４４の上端面が接触可能な段状の第一接触部４２ａ３が形成されている。また、大径部４２ａ１は、本体部４１ａの内径より大きくなるように形成されている。これにより、第一ハウジング４１（フランジ部４１ｂ）の上端面にプランジャ４４の下端面が接触可能な段状の第二接触部４１ｂ１が形成される。
【００２５】
コイル４３は、筒状に導線が巻かれたものである。コイル４３は、シリンダ４２ａと同軸にシリンダ４２ａの周囲に配設されている。また、コイル４３は、プランジャ４４の中央部から上端部がコイル４３内に埋設するように配設されている。コイル４３は、通電されることにより磁場を形成する。
【００２６】
プランジャ４４は、円柱状に形成され、第一ハウジング４１と同軸に、シリンダ４２ａ内に摺動可能に配設されている。シリンダ４２ａの内周面とプランジャ４４の外周面とが摺動可能に接触するように、プランジャ４４およびシリンダ４２ａが形成されている。プランジャ４４の上端面は、シリンダ４２ａの第一接触部４２ａ３と接触可能に配設されている（図３参照）。また、プランジャ４４の下端面は、第一ハウジング４１の第二接触部４１ｂ１と接触可能に配設されている（図２参照）。
【００２７】
スプリング４５は、シリンダ４２ａ内に、シリンダ４２ａ内の上端面とプランジャ４４の上端面との間に配設され、プランジャ４４を第一ハウジング４１側に付勢するものである。
また、改質水ポンプ４０は、第一ハウジング４１と第二ハウジング４２との間からの改質水の漏れを防止するシール部材４６を、さらに備えている。シール部材４６は、弾性体（例えばＮＢＲ）によって環状に形成されている。
【００２８】
また、改質水ポンプ４０は、ポンプ室ＰＲを備えている。ポンプ室ＰＲは、第一逆止弁４１ｃの第一弁座４１ｃ４と、第二逆止弁４１ｄの第二弁座４１ｄ４との間に形成されている。ポンプ室ＰＲは、具体的には、隔壁４１ａ６、第一流路４１ａ４、本体部４１ａ、シリンダ４２ａ、プランジャ４４、第二流路４１ａ５および板部材４１ｄ５によって区画された空間である。ポンプ室ＰＲは、図２および図３に示すように、プランジャ４４の往復運動に応じて容積が変化する。
【００２９】
次に、改質水ポンプ４０の作動について、コイル４３が通電されていない状態から説明する。コイル４３が通電されていない場合、図２に示すように、プランジャ４４は、スプリング４５の付勢力によりシリンダ４２ａ内の下端部に位置している。具体的には、この場合におけるプランジャ４４の位置は、プランジャ４４の下端面が、第二接触部４１ｂ１と接触する位置である。また、各弁体４１ｃ３，４１ｄ３は、スプリング４１ｃ２，４１ｄ２の付勢力によって、各弁座４１ｃ４，４１ｄ４にそれぞれ当接している。すなわち、各逆止弁４１ｃ，４１ｄは、共に「閉状態」である。
【００３０】
このような状態において、コイル４３が通電された場合、コイル４３が形成する磁界によって、プランジャ４４がシリンダ４２ａの上方に向けて吸引される。プランジャ４４は、スプリング４５の付勢力に抗して、シリンダ４２ａ内を上方に向けて移動する。プランジャ４４の上端面が第一接触部４２ａ３（本発明の被衝突部に相当）に衝突して、図３に示すように、プランジャ４４が、第一接触部４２ａ３に接触した状態で位置決めされる。このとき、この衝突により振動が発生し、振動が第二ハウジング４２全体および第一ハウジング４１全体に伝達する。また、この場合、ポンプ室ＰＲの容積が増加するように変化する。これにより、ポンプ室ＰＲ内の圧力値が低下して第一圧力値以下となったとき、第一逆止弁４１ｃの第一弁体４１ｃ３が第一スプリング４１ｃ２の付勢力に抗して上方に向けて移動する。このとき、第一逆止弁４１ｃが「開状態」となるとともに、入口開口４１ａ２から第一流路４１ａ４を通って改質水がポンプ室ＰＲに流入する。そして、ポンプ室ＰＲ内の圧力値が上昇して第一圧力値より大きくなったとき、第一逆止弁４１ｃが「閉状態」となる。なお、この場合、第二逆止弁４１ｄは、「閉状態」のままである。
【００３１】
そして、コイル４３への通電が停止されると、コイル４３によって形成された磁界が無くなる。よって、プランジャ４４は、スプリング４５の付勢力により、シリンダ４２ａ内を下方に向けて移動する。プランジャ４４の下端面が第二接触部４１ｂ１（本発明の被衝突部に相当）に衝突して、図２に示すように、プランジャ４４が、第二接触部４１ｂ１に接触した状態で位置決めされる。このとき、この衝突により振動が発生し、振動が第二ハウジング４２および第一ハウジング４１全体に伝達する。また、この場合、ポンプ室ＰＲの容積が減少するように変化する。これにより、ポンプ室ＰＲ内の改質水が加圧され、ポンプ室ＰＲ内の圧力値が上昇して第一圧力値より大きい第二圧力値以上となったとき、第二逆止弁４１ｄの第二弁体４１ｄ３が第二スプリング４１ｄ２の付勢力に抗して右側方に向けて移動する。このとき、第二逆止弁４１ｄが「開状態」となるとともに、ポンプ室ＰＲから改質水が第二流路４１ａ５を通って出口開口４１ａ３から流出する。そして、ポンプ室ＰＲ内の圧力値が低下して第二圧力値より小さくなったとき第二逆止弁４１ｄが「閉状態」となる。なお、この場合、第一逆止弁４１ｃは、「閉状態」のままである。
【００３２】
また、プランジャ４４の往復運動によって、ポンプ室ＰＲ内の改質水は、ポンプ室ＰＲの容積の変化量に相当する量だけ出口開口４１ａ３から流出する。よって、コイル４３への通電が停止された場合、ポンプ室ＰＲの容積が変化しない部位（第一ハウジング４１内のポンプ室ＰＲの部位）に相当する改質水の量がポンプ室ＰＲ内に残るとともに、逆止弁４１ｃ，４１ｄが閉状態となるため、ポンプ室ＰＲ内に残っている改質水の量が比較的多い。
【００３３】
このように、改質水ポンプ４０は、コイル４３への通電と非通電とが繰り返されることで、プランジャ４４の往復運動に応じたポンプ室ＰＲの容積変化により、水タンク１４に貯留された改質水が入口開口４１ａ２から第一流路４１ａ４を介してポンプ室ＰＲ内に流入し、かつ、ポンプ室ＰＲ内の改質水が第二流路４１ａ５を介して出口開口４１ａ３から流出するプランジャポンプである。
【００３４】
また、燃料電池システム１は、水位センサ１４ａ、排水機構部１７および振動検出装置５０をさらに備えている。
水位センサ１４ａは、図１に示すように、水タンク１４に設けられ、水タンク１４の水位を検出するものである。水位センサ１４ａは、例えば静電容量式の水位センサである。水位センサ１４ａの検出信号は、制御装置１５に出力される。
【００３５】
排水機構部１７は、改質水ポンプ４０の一次側の改質水を外部に排出するものである。排水機構部１７は、図１に示すように、排水管１７ａおよび排水弁１７ｂを備えている。排水管１７ａは、水タンク１４内と筐体１０ａ外部（大気）とを連通するものである。水タンク１４内の改質水は、排水管１７ａを介して筐体１０ａ外部に排出される。排水管１７ａの水タンク１４との接続部は、水供給管１１ｂの水タンク１４との接続部より下方に位置する。
【００３６】
排水弁１７ｂは、排水管１７ａに設けられている。排水弁１７ｂは、排水管１７ａにおける改質水の流れを許容する開状態と、改質水の流れを遮断する閉状態を有している。排水弁１７ｂは、手動により開状態と閉状態とが切り替えられる。排水弁１７ｂは、使用者によって操作可能な位置に設けられている。排水弁１７ｂが開状態とされた場合、水タンク１４内の改質水が排出されるため、水タンク１４の水位が、排水管１７ａとの接続部の下端以下となる。
【００３７】
また、上述したように、水タンク１４において、排水管１７ａとの接続部より水供給管１１ｂとの接続部が上方に位置する。さらに、水タンク１４と水供給管１１ｂとの接続部より水供給管１１ｂと改質水ポンプ４０との接続部が上方に設けられている。よって、排水弁１７ｂが開状態とされ、かつ、水タンク１４の水位が排水管１７ａとの接続部の下端以下となった場合、水供給管１１ｂにおける改質水ポンプ４０との接続部と水タンク１４との接続部との間の部位の改質水も排出される。したがって、水タンク１４の水位が排水管１７ａとの接続部の下端以下である場合、改質水ポンプ４０の一次側の改質水が排出されている。
【００３８】
振動検出装置５０は、プランジャ４４の往復運動の際、プランジャ４４の衝突による振動が伝達する伝達部位Ｐに配設され、プランジャ４４の衝突による振動を検出するものである。プランジャ４４の衝突による振動は、上述したように、各ハウジング４１，４２全体に伝達する。本実施形態において、伝達部位Ｐは、図２および図３に示すように、第一ハウジング４１のフランジ部４１ｂの外表面である。また、振動検出装置５０は、加速度センサであり、振動の加速度を検出する。振動検出装置５０は、例えば、静電容量式加速度センサである。振動検出装置５０は、制御装置１５と電気的に接続され、振動検出装置５０によって検出された検出値が制御装置１５に送信されるようになっている。
【００３９】
図１に戻って、燃料電池システム１の構成の説明を続ける。
改質部３３は、後述する燃焼ガスにより加熱されて水蒸気改質反応に必要な熱が供給されることで、蒸発部３２から供給された混合ガス（改質用原料、水蒸気）から改質ガスを生成して導出するものである。改質部３３内には、触媒（例えば、ＲｕまたはＮｉ系の触媒）が充填されており、混合ガスが触媒によって反応し改質されて水素ガスと一酸化炭素などを含んだガスが生成されている（いわゆる水蒸気改質反応）。改質ガスは、水素、一酸化炭素、二酸化炭素、水蒸気、未改質の天然ガス（メタンガス）、改質に使用されなかった改質水（水蒸気）を含んでいる。このように、改質部３３は改質用原料（原燃料）と改質水とから改質ガス（燃料）を生成して燃料電池３４に供給する。なお、水蒸気改質反応は吸熱反応である。
【００４０】
燃料電池３４は、燃料と酸化剤ガスとにより発電するものである。燃料電池３４は、燃料極、空気極（酸化剤極）、および両極の間に介装された電解質からなる複数のセル３４ａが積層されて構成されている。本実施形態の燃料電池は、固体酸化物形燃料電池であり、電解質として固体酸化物の一種である酸化ジルコニウムを使用している。燃料電池３４の燃料極には、燃料として水素、一酸化炭素、メタンガスなどが供給される。
【００４１】
セル３４ａの燃料極側には、燃料である改質ガスが流通する燃料流路３４ｂが形成されている。セル３４ａの空気極側には、酸化剤ガスである空気（カソードエア）が流通する空気流路３４ｃが形成されている。
【００４２】
燃料電池３４は、マニホールド３５上に設けられている。マニホールド３５には、改質部３３からの改質ガスが改質ガス供給管３８を介して供給される。燃料流路３４ｂは、その下端（一端）がマニホールド３５の燃料導出口に接続されており、その燃料導出口から導出される改質ガスが下端から導入され上端から導出されるようになっている。カソードエアブロワ１１ｃ１によって送出されたカソードエアはカソードエア供給管１１ｃを介して供給され、空気流路３４ｃの下端から導入され上端から導出されるようになっている。
【００４３】
燃焼部３６は、燃料電池３４と蒸発部３２および改質部３３との間に設けられている。燃焼部３６は、燃料電池３４からのアノードオフガス（燃料オフガス）と燃料電池３４からのカソードオフガス（酸化剤オフガス）とが燃焼されて蒸発部３２および改質部３３を加熱する。
【００４４】
燃焼部３６では、アノードオフガスが燃焼されて燃焼ガス（火炎３７）が発生している。燃焼部３６では、アノードオフガスが燃焼されてその燃焼排ガスが発生している。燃焼部３６には、アノードオフガスを着火させるための一対の着火ヒータ３６ａ１，３６ａ２が設けられている。燃焼排ガスは、上述したように、排気管１１ｄから外部に排出される。
【００４５】
このように燃料電池システム１が構成されていることにより、改質水ポンプ４０の二次側は、水供給管１１ｂ、蒸発部３２、改質部３３、改質ガス供給管３８、マニホールド３５、燃料電池３４の燃料流路３４ｂ、燃焼部３６および排気管１１ｄを介して外部に接続されている。すなわち、改質水ポンプ４０の二次側は、大気と連通している。
【００４６】
制御装置１５は、上述したように、改質水ポンプ４０の駆動量を少なくとも制御するものである。制御装置１５は、図４に示すように、排水判定部１５ａ、水抜き制御部１５ｂ、ポンプ駆動制御部１５ｃ、振動値導出部１５ｄ、水抜き判定部１５ｅおよび警告部１５ｆを備えている。
【００４７】
排水判定部１５ａは、水位センサ１４ａによって検出された水タンク１４の水位に基づいて、改質水ポンプ４０の一次側の改質水が排出されたか否かを判定するものである。排水判定部１５ａは、具体的には、水位センサ１４ａによって検出された水タンク１４の水位が、水位判定値以下である場合、改質水ポンプ４０の一次側の改質水が排出されたと判定する。水位判定値は、水タンク１４における排水管１７ａとの接続部の下端に設定されている。水タンク１４の水位が水タンク１４における排水管１７ａとの接続部の下端（すなわち、水位判定値）以下である場合、上述したように、排水管１７ａから改質水ポンプ４０の一次側の改質水が排出されている。排水判定部１５ａの判定結果は、水抜き制御部１５ｂに出力される。
【００４８】
水抜き制御部１５ｂは、排水機構部１７によって改質水ポンプ４０の一次側の改質水が排出された場合、改質水ポンプ４０を所定駆動量駆動させることにより、改質水ポンプ４０の水抜きを行う水抜き制御を実行するものである。水抜き制御部１５ｂは、具体的には、排水判定部１５ａによって改質水ポンプ４０の一次側の改質水が排出されたと判定された場合、ポンプ駆動制御部１５ｃに改質水ポンプ４０を所定駆動量駆動させる信号を出力することにより、水抜き制御を実行する。所定駆動量は、プランジャ４４の往復運動が第一所定回数（例えば５回）実行されるように設定されている。すなわち、所定駆動量は、コイル４３への通電と非通電とが第一所定回数繰り返されることによって生じるプランジャ４４の往復運動量である。また、第一所定回数は、出口開口４１ａ３より流出する改質水の量が、ポンプ室ＰＲの容量より多くなるプランジャ４４の往復運動の回数に設定されている。
【００４９】
水抜き制御が実行されることによって、ポンプ室ＰＲ内に空気が流入し、かつ、ポンプ室ＰＲ内の改質水が出口開口４１ａ３から流出する改質水の水抜きが行われる（後述する）。水抜き制御が開始および終了した場合、その旨の信号が振動値導出部１５ｄに出力される。
【００５０】
ポンプ駆動制御部１５ｃは、改質水ポンプ４０の駆動量を制御するものである。改質水ポンプ４０は、ＰＷＭ制御によって駆動される。よって、ポンプ駆動制御部１５ｃは、改質水ポンプ４０の制御指令値をＰＷＭ制御のデューティ比にて改質水ポンプ４０のドライバ回路（図示なし）に出力する。ここで、プランジャ４４が一往復したときに出口開口４１ａ３から流出する改質水の量は、上述したようにポンプ室ＰＲの容積の変化量に相当する。よって、出口開口４１ａ３から流出する改質水の流量（単位時間あたりの流量）は、プランジャ４４の単位時間あたりの往復回数によって定まる。したがって、改質水の流量の調整は、プランジャ４４の単位時間あたりに一往復する回数（周波数）が調整されることにより行われる。具体的には、ポンプ駆動制御部１５ｃによってデューティ比が調整されることにより、コイル４３への単位時間あたりの通電と非通電とが繰り返される回数（周波数）が調整される。改質水の目標流量は、燃料電池３４の発電量に基づいて予め設定され、制御装置１５に記憶されている。なお、改質水の流量は、およそ０．３〜３０ｍＬ／分の範囲内となるように設定されている。
【００５１】
振動値導出部１５ｄは、水抜き制御の開始時点から終了時点までの間における検出振動値Ｖｒを導出するものである。振動値導出部１５ｄは、振動検出装置５０からの検出値に基づいて、ＦＦＴによる周波数解析を行い、周波数ごとの振動の大きさを算出する。そして、振動値導出部１５ｄは、周波数ごとの振動の大きさのうち最大値を検出振動値Ｖｒとして導出する。
【００５２】
水抜き判定部１５ｅは、振動検出装置５０によって検出された振動の大きさに基づいて、水抜き制御によって改質水ポンプ４０の水抜きが完了したか否かを判定するものである。ここで、検出振動値Ｖｒに基づいて、水抜き制御によって改質水ポンプ４０の水抜きが完了したか否かを判定できることの理由を説明する。水抜き制御によっても改質水ポンプ４０の水抜きが完了していない場合、換言すれば、ポンプ室ＰＲ内に残っている改質水の量が比較的多い場合、プランジャ４４と第一接触部４２ａ３との間、およびプランジャ４４と第二接触部４１ｂ１との間に改質水が存在する。この改質水がプランジャ４４の衝突に対する緩衝材として作用するため、プランジャ４４の衝突により発生する改質水ポンプ４０の振動の大きさ、ひいては、検出振動値Ｖｒが比較的小さくなる。これにより、振動値導出部１５ｄによって導出された検出振動値Ｖｒが振動判定値ＴｈＶより小さい場合、水抜き判定部１５ｅは、改質水ポンプ４０の水抜きが完了していない判定する。振動判定値ＴｈＶは、予め実験等により実測され、制御装置１５に記憶されている。
【００５３】
一方、水抜き制御によってポンプ室ＰＲ内の改質水が流出することによりポンプ室ＰＲ内の改質水の量が比較的少なくなった場合、各接触部４２ａ３，４１ｂ１とプランジャ４４との間の改質水の量が比較的少なくなるため、ポンプ室ＰＲ内に残っている改質水の量が比較的多い場合に比べて、検出振動値Ｖｒが比較的大きくなる。よって、水抜き判定部１５ｅは、水抜き制御が実行されたことにより、ポンプ室ＰＲ内の改質水が流出し、振動値導出部１５ｄによって導出された検出振動値Ｖｒが振動判定値ＴｈＶ以上となった場合、改質水ポンプ４０の水抜きが完了したと判定することができる。水抜き判定部１５ｅの判定結果は、警告部１５ｆに出力される。
【００５４】
警告部１５ｆは、水抜き判定部１５ｅによって改質水ポンプ４０の水抜きが完了していないと判定された場合、水抜きが完了していない旨の警告を実行するものである。水抜きが完了していない旨の警告の信号は、表示部１８に出力される。表示部１８は、例えば、筐体１０ａに設けられた警告灯である。水抜きが完了していない旨の警告の信号が出力された場合、表示部１８が点灯する。水抜き判定部１５ｅによって改質水ポンプ４０の水抜きが完了していないと判定された場合、改質水ポンプ４０の故障により、プランジャ４４が作動しないことが考えられる。
【００５５】
次に、制御装置１５によって水抜き制御が実行される場合について、図５に示すフローチャートに沿って説明する。制御装置１５は、燃料電池システム１が待機状態（待機時）である場合に水抜き制御を実行する。待機時は、燃料電池システム１の発電停止状態（すなわち、起動運転、発電運転、停止運転のいずれの運転中でない状態である。）のことであり、発電指示（スタートスイッチのオンなど）を待っている状態のことである。以下、燃料電池システム１が発電運転および停止運転が終了して待機状態に移行した場合について説明する。この場合、改質水ポンプ４０は、発電運転および停止運転が終了したことにより、改質水の供給が停止されたため、上述したように、ポンプ室ＰＲ内に残っている改質水の量が比較的多い。また、この場合、排水弁１７ｂが閉状態であり、かつ、水タンク１４の水位が水位判定値より高い。
【００５６】
制御装置１５は、ステップＳ１０２にて、改質水ポンプ４０の一次側の改質水が排出されたか否かを判定する（排水判定部１５ａ）。制御装置１５は、具体的には、水位センサ１４ａによって検出された水タンク１４の水位が水位判定値以下であるか否かを判定する。水タンク１４内の改質水が排出されていない場合、水タンク１４の水位が水位判定値より高いため、改質水ポンプ４０の一次側の改質水が排出されていないと判定する。この場合、制御装置１５は、ステップＳ１０２にて「ＮＯ」と判定し、ステップＳ１０２を繰り返し実行する。
【００５７】
一方、使用者によって排水弁１７ｂが開状態にされた場合、水タンク１４の改質水が排水管１７ａから排出される。これにより、水タンク１４の水位が水位判定値以下となった場合、制御装置１５は、改質水ポンプ４０の一次側の改質水が排出されたと判定する。この場合、制御装置１５は、ステップＳ１０２にて「ＹＥＳ」と判定し、プログラムをステップＳ１０４に進める。
【００５８】
制御装置１５は、ステップＳ１０４にて、変数ｉをゼロに設定する。変数ｉは、水抜き制御が実行された回数を把握するものである。制御装置１５は、ステップＳ１０６にて、水抜き制御を実行する（水抜き制御部１５ｂ）。そして、制御装置１５は、ステップＳ１０８にて、検出振動値Ｖｒを導出する（振動値導出部１５ｄ）。
【００５９】
続けて、制御装置１５は、ステップＳ１１０にて、改質水ポンプ４０の水抜きが完了したか否かを判定する（水抜き判定部１５ｅ）。制御装置１５は、具体的には、検出振動値Ｖｒが振動判定値ＴｈＶ以上であるか否かを判定する。水抜き制御によってポンプ室ＰＲ内の改質水の量が比較的少なくなった場合、上述したように、プランジャ４４の衝突により発生する改質水ポンプ４０の振動の大きさが比較的大きくなる。これにより、検出振動値Ｖｒが振動判定値ＴｈＶ以上となった場合、制御装置１５は、改質水ポンプ４０の水抜きが完了したと判定する。この場合、制御装置１５は、ステップＳ１１０にて「ＹＥＳ」と判定し、プログラムを終了する。
【００６０】
一方、水抜き制御によってもポンプ室ＰＲ内に残っている改質水の量が比較的多い場合、プランジャ４４の衝突により発生する改質水ポンプ４０の振動の大きさが比較的小さい。これにより、検出振動値Ｖｒが振動判定値ＴｈＶより小さい場合、制御装置１５は、改質水ポンプ４０の水抜きが完了していないと判定する。この場合、制御装置１５は、ステップＳ１１０にて「ＮＯ」と判定し、ステップＳ１１２にて変数ｉが第二所定回数ｎであるか否かを判定する。第二所定回数ｎは、例えば３回である。変数ｉが第二所定回数ｎでない場合、制御装置１５は、ステップＳ１１２にて「ＮＯ」と判定し、プログラムをステップＳ１１４に進める。
【００６１】
制御装置１５は、ステップＳ１１４にて変数ｉを１増加させて、プログラムをステップＳ１０６に戻して水抜き制御を再度実行する。このように、制御装置１５は、改質水ポンプ４０の水抜きが完了していないと判定した場合、変数ｉが第二所定回数ｎとなるまで水抜き制御を繰り返し実行する。
【００６２】
一方、変数ｉが第二所定回数ｎとなった場合、制御装置１５は、ステップＳ１１２にて「ＹＥＳ」と判定し、ステップＳ１１６にて、改質水ポンプ４０の水抜きが完了していないために、水抜きが完了していない旨の警告を行う（警告部１５ｆ）。このように、制御装置１５（警告部１５ｆ）は、改質水ポンプ４０の水抜きが完了していないと第二所定回数ｎ判定した場合、水抜きが完了していない旨の警告を実行する。
【００６３】
次に、燃料電池システム１の発電運転および停止運転が終了した燃料電池システム１の待機時に、使用者が水タンク１４の水抜きを行った場合における燃料電池システム１の動作について説明する。燃料電池システム１の発電運転および停止運転が終了した場合、上述したように、排水弁１７ｂが閉状態であり、かつ、水タンク１４の水位が水位判定値以上であるとともに、ポンプ室ＰＲ内に残っている改質水の量が比較的多い。
【００６４】
使用者が排水弁１７ｂを開状態にした場合、水タンク１４の改質水が排出されて、水タンク１４の水位が低下する。水タンク１４の水位が水位判定値以下となった場合（ステップＳ１０２；排水判定部１５ａ）、改質水ポンプ４０の一次側の改質水が排出されている。これにより、改質水の一次側が、大気と連通する。さらに、この場合、水抜き制御が実行される（ステップＳ１０６；水抜き制御部１５ｂ）。
【００６５】
水抜き制御において、コイル４３が通電された場合、上述したようにプランジャ４４が上方に移動して、ポンプ室ＰＲの容積が増加することにより、ポンプ室ＰＲ内の圧力値が低下するため、第一逆止弁４１ｃが開かれる。改質水の一次側が大気と連通しているため、この空気が入口開口４１ａ２から第一流路４１ａ４を介してポンプ室ＰＲ内に流入する。そして、コイル４３が非通電となった場合、上述したようにプランジャ４４が下方に移動して、ポンプ室ＰＲの容積が減少するため、ポンプ室ＰＲ内の空気および改質水が加圧される。これにより、ポンプ室ＰＲ内の改質水が第二流路４１ａ５に流入して第二逆止弁４１ｄを開くとともに、出口開口４１ａ３から流出する。そして、プランジャ４４の往復運動が繰り返されることにより、さらに、ポンプ室ＰＲ内の改質水が出口開口４１ａ３から流出する。このように、改質水ポンプ４０の水抜きが行われる。
【００６６】
水抜き制御が１回（プランジャ４４の往復運動が５回）実行された場合にいても、ポンプ室ＰＲ内に残っている改質水の量が比較的多いとき、図６に示すように、改質水ポンプ４０の振動の大きさが比較的小さいため、検出振動値Ｖｒが振動判定値ＴｈＶより小さい。続けて、水抜き制御がさらに一回実行されることにより、ポンプ室ＰＲ内の改質水の量が比較的少なくなった場合、改質水ポンプ４０の振動が比較的大きくなるため、検出振動値Ｖｒが振動判定値ＴｈＶ以上となる。これにより改質水ポンプ４０の水抜きが完了する（ステップＳ１１０；水抜き判定部１５ｅ）。
【００６７】
一方、水抜き制御が繰り返し実行された場合においても、改質水ポンプ４０の振動の大きさが比較的小さい（検出振動値Ｖｒが振動判定値ＴｈＶより小さい）とき、水抜きが完了していない旨の警告が行われる（ステップＳ１１６；警告部１５ｆ）。
なお、上述したように、改質水ポンプ４０の二次側は、大気と連通しているため、密閉状態ではない。よって、改質水ポンプ４０の二次側において、ポンプ室ＰＲ内から流出した改質水が凍結して改質水の体積が増加した場合においても、改質水ポンプ４０や水供給管１１ｂの破損は発生しない。
【００６８】
本第一実施形態によれば、燃料電池システム１は、燃料と酸化剤ガスとにより発電する燃料電池３４と、改質水から水蒸気を生成する蒸発部３２と、改質用原料と水蒸気とから燃料を生成して燃料電池３４に供給する改質部３３と、改質水を貯留する水タンク１４と、水タンク１４に貯留された改質水を蒸発部３２に供給する改質水ポンプ４０と、改質水ポンプ４０の一次側の改質水を外部に排出する排水機構部１７と、改質水ポンプ４０の駆動量を少なくとも制御する制御装置１５と、を備えている。改質水ポンプ４０は、第一ハウジング４１および第二ハウジング４２と、第一ハウジング４１に設けられ、水タンク１４からの改質水が流入する入口開口４１ａ２と、第一ハウジング４１および第二ハウジング４２内のポンプ室ＰＲとを接続する第一流路４１ａ４と、第一ハウジング４１に設けられ、ポンプ室ＰＲと、ポンプ室ＰＲからの改質水が流出する出口開口４１ａ３とを接続する第二流路４１ａ５と、第一流路４１ａ４に設けられ、水タンク１４から蒸発部３２へ向かう第一方向の改質水の流れを許容するが、第一方向と反対方向の改質水の流れを規制する第一逆止弁４１ｃと、第二流路４１ａ５に設けられ、第一方向の改質水の流れを許容するが、第一方向と反対方向の改質水の流れを規制する第二逆止弁４１ｄと、を備えている。制御装置１５は、排水機構部１７によって改質水ポンプ４０の一次側の改質水が排出された場合、改質水ポンプ４０を所定駆動量駆動させることにより、改質水ポンプ４０の水抜きを行う水抜き制御を実行する水抜き制御部１５ｂを備えている。
改質水ポンプ４０は、第一流路４１ａ４および第二流路４１ａ５に逆止弁４１ｃ，４１ｄが設けられているため、蒸発部３２への改質水の供給を停止した場合、上述したように、改質水がポンプ室ＰＲ内に残る。これに対し、制御装置１５は、改質水ポンプ４０の一次側の改質水が排出された場合、水抜き制御を実行する。水抜き制御は、改質水ポンプ４０を所定駆動量駆動させることにより、改質水ポンプ４０の水抜きを行うものである。改質水ポンプ４０の一次側の改質水が排出された場合、改質水ポンプ４０の一次側と大気とが連通する。そして、水抜き制御による改質水ポンプ４０の駆動により、第一逆止弁４１ｃが開かれるとともに、改質水ポンプ４０の一次側の空気が入口開口４１ａ２から第一流路４１ａ４を介してポンプ室ＰＲ内に流入する。さらに、ポンプ室ＰＲ内の改質水が第二流路４１ａ５に流入して第二逆止弁４１ｄを開くとともに、出口開口４１ａ３から流出する。これにより、改質水ポンプ４０の水抜きが行われる。したがって、改質水ポンプ４０に逆止弁４１ｃ，４１ｄが設けられている場合においても、改質水ポンプ４０内の水抜きを行うことができる。
【００６９】
また、水タンク１４は、水タンク１４の水位を検出する水位センサ１４ａをさらに備えている。制御装置１５は、水位センサ１４ａによって検出された水タンク１４の水位に基づいて、改質水ポンプ４０の一次側の改質水が排出されたか否かを判定する排水判定部１５ａをさらに備えている。水抜き制御部１５ｂは、排水判定部１５ａによって改質水ポンプ４０の一次側の改質水が排出されたと判定された場合、水抜き制御を実行する。
これによれば、制御装置１５は、水位センサ１４ａの検出結果に基づいて、改質水ポンプ４０の一次側の改質水が排出されたことを判定することができる。よって、制御装置１５は、改質水ポンプ４０の一次側の改質水が排出され、改質水ポンプ４０の一次側が大気と連通した場合に水抜き制御を実行する。よって、改質水ポンプ４０の水抜きを確実に行うことができる。
【００７０】
また、改質水ポンプ４０は、プランジャ４４の往復運動に応じたポンプ室ＰＲの容積変化により、水タンク１４に貯留された改質水が入口開口４１ａ２からポンプ室ＰＲ内に流入し、かつ、ポンプ室ＰＲ内の改質水が出口開口４１ａ３から流出するプランジャポンプである。
これによれば、改質水ポンプ４０がプランジャポンプである場合においても、制御装置１５は、改質水ポンプ４０の水抜きを行うことができる。
【００７１】
また、改質水ポンプ４０は、プランジャ４４の往復運動の際、プランジャ４４が衝突する接触部４２ａ３，４１ｂ１に対するプランジャ４４の衝突によって振動が発生する。燃料電池システム１は、振動が伝達する伝達部位Ｐに配設され、振動を検出する振動検出装置５０をさらに備えている。制御装置１５は、振動検出装置５０によって検出された振動の大きさに基づいて、水抜き制御によって改質水ポンプ４０の水抜きが完了したか否かを判定する水抜き判定部１５ｅを備えている。
これによれば、制御装置１５は、上述したように、振動検出装置５０によって検出される検出振動値Ｖｒが振動判定値ＴｈＶ以上である場合、水抜き制御によって改質水ポンプ４０の水抜きが完了したことを判定することができる。よって、制御装置１５は、ポンプ室ＰＲ内の改質水が凍結することによる改質水ポンプ４０の破損の発生を確実に抑制することができる。
【００７２】
（第二実施形態）
次に、本発明による燃料電池システム１の第二実施形態について、主として上述した第一実施形態と異なる部分について説明する。上述した第一実施形態おける排水弁１７ｂは、手動により操作されていたが、本第二実施形態における排水弁１１７ｂは、制御装置１５によって開状態と閉状態とが切り替えられる電磁弁である。また、本第二実施形態における燃料電池システム１は、図７に示すように、水抜きスイッチ１１９をさらに備えている。また、本第二実施形態における制御装置１５は、スイッチ状態取得部１１５ｇおよび排水弁駆動制御部１１５ｈをさらに備えている。
【００７３】
水抜きスイッチ１１９は、筐体１０ａに使用者が操作可能な位置に設けられている。水抜きスイッチ１１９は、例えば自己復帰型の押しスイッチによって構成されている。
スイッチ状態取得部１１５ｇは、水抜きスイッチ１１９の状態を取得するものである。スイッチ状態取得部１１５ｇは、水抜きスイッチ１１９のオン状態およびオフ状態を取得する。スイッチ状態取得部１１５ｇは、水抜きスイッチ１１９のオン状態を取得した場合、オン信号を排水弁駆動制御部１１５ｈに出力する。
【００７４】
排水弁駆動制御部１１５ｈは、スイッチ状態取得部１１５ｇからのオン信号が入力された場合、排水弁１１７ｂを所定時間開状態とするものである。所定時間は、水タンク１４の水位が満水である状態から、改質水が排出されて、水位判定値以下である状態となるまでの時間より長い時間に設定されている。
【００７５】
次に、本第二実施形態において、使用者が水タンク１４の水抜きを行う場合における燃料電池システム１の動作について説明する。
使用者は、燃料電池システム１の発電運転および停止運転が終了した燃料電池システム１の待機時に、水抜きスイッチ１１９をオンする。これにより、排水弁１１７ｂが所定時間開状態となる（排水弁駆動制御部１１５ｈ）。これにより、水タンク１４内の改質水が排出されて、水タンク１４の水位が水位判定値以下となった場合、制御装置１５は、上述したフローチャートに基づいて、水位センサ１４ａの検出結果から、改質水ポンプ４０の一次側の改質水が排出されたと判定する（ステップＳ１０２；排水判定部１５ａ）。さらに、制御装置１５は、上述したフローチャートに沿って、改質水ポンプ４０の水抜きを行う。
このように、本第二実施形態においては、使用者は、水タンク１４の水抜きを手動でなく自動で行うことができる。
【００７６】
なお、上述した各実施形態において、燃料電池システムの一例を示したが、本発明はこれに限定されず、他の構成を採用することもできる。例えば、上述した排水管１７ａは、水タンク１４内と筐体１０ａ外部とを連通しているが、これに代えて、図８に示すように、排水管２１７ａを、水供給管１１ｂにおける水タンク１４と改質水ポンプ４０との間の部位と、筐体１０ａ外部とを連通するようにしても良い。この場合、改質水ポンプ４０の一次側の改質水は、水供給管１１ｂにおける改質水ポンプ４０との接続部と排水管２１７ａとの接続部との間の部位、および、排水管２１７ａにある改質水である。
【００７７】
また、上述した各実施形態において、改質水ポンプ４０は、プランジャポンプであるが、これに代えて、ポンプ室を挟んで二つの逆止弁が設けられたピストンポンプやダイヤフラムポンプにしても良い。
また、上述した第一実施形態において、燃料電池システム１は、水位センサ１４ａを備えているが、水位センサ１４ａおよび排水判定部１５ａを備えないようにしても良い。この場合、例えばスイッチ（図示なし）がオンされることにより、水抜き制御部１５ｂが水抜き制御を行うようにしても良い。
また、上述した各実施形態において、振動検出装置５０は、第一ハウジング４１のフランジ部４１ｂの外表面に配設されているが、これに代えて、第一ハウジング４１の本体部４１ａの側面または、第二ハウジング４２の上面に配設するようにしても良い。
【符号の説明】
【００７８】
１…燃料電池システム、１１…燃料電池モジュール、１１ｂ…水供給管、１１ｂ１（４０）…改質水ポンプ、１４…水タンク、１４ａ…水位センサ、１５…制御装置、１５ａ…排水判定部、１５ｂ…水抜き制御部、１５ｅ…水抜き判定部、１７…排水機構部、１７ａ…排水管、１７ｂ…排水弁、３２…蒸発部、３３…改質部、３４…燃料電池、４１…第一ハウジング（ハウジング）、４１ａ２…入口開口、４１ａ３…出口開口、４１ａ４…第一流路、４１ａ５…第二流路、４１ｂ１…第二接触部（被衝突部）、４１ｃ…第一逆止弁、４１ｄ…第二逆止弁、４２…第二ハウジング（ハウジング）、４２ａ３…第一接触部（被衝突部）、４４…プランジャ、５０…振動検出装置、Ｐ…伝達部位、ＰＲ…ポンプ室、ＴｈＶ…振動判定値、Ｖｒ…検出振動値。
【図１】
2017139129.tif 000003
【図２】
2017139129.tif 000004
【図３】
2017139129.tif 000005
【図４】
2017139129.tif 000006
【図５】
2017139129.tif 000007
【図６】
2017139129.tif 000008
【図７】
2017139129.tif 000009
【図８】
2017139129.tif 000010